(57)【特許請求の範囲】
【請求項１】
情報提供サービスを提供するサーバコンピュータと、前記情報提供サービスの登録会員候補者が使用する端末コンピュータとを備え、前記サーバコンピュータと前記端末コンピュータとがネットワークを介して接続された情報提供サービスの会員登録システムであって、
前記サーバコンピュータは、前記情報提供サービスの会員登録作業を行うためのプログラムを記憶した記憶装置と、該プログラムを読み出して実行する制御装置と、前記端末コンピュータとネットワークを介して通信するための通信装置とを備え、
前記制御装置は、前記プログラムを実行することにより、前記情報提供サービスに会員登録する候補者をリスト化した登録会員候補者リストから、前記情報提供サービスにより提供されるサービス情報種別毎、及び会社規模，会社部署，会社業種，会社所在地の少なくとも１つの登録会員候補者の会社情報に係る会員属性毎に登録会員候補者を抽出し、
該抽出した登録会員候補者毎に前記サービス情報種別及び前記会員属性が対応付けられた会員登録用暗証コードを作成し、
該作成した会員登録用暗証コードを前記抽出した登録会員候補者の端末コンピュータにネットワークを介して配信し、
さらに、前記制御装置は、前記プログラムを実行することにより、前記会員登録用暗証コードを配信した前記端末コンピュータの登録会員候補者からのみネットワークを介して前記情報提供サービスの会員登録の申し込みを受け付け、
前記登録会員候補者の端末コンピュータから受信した前記会員登録用暗証コード及び個別会員登録情報に基づいて、前記登録会員候補者に対して前記情報提供サービスの会員登録の可否を判断することを特徴とする情報提供サービスの会員登録システム。
【発明の詳細な説明】
【０００１】
【発明の属する技術分野】
本発明は、情報提供サービスの会員登録システムに関し、より詳細には、インターネット等のネットワークを利用した特定会員向けの会員制情報提供サービスにおける会員登録用暗証コードを用いた会員登録システムに関する。
【０００２】
【従来の技術】
インターネット等のネットワークを利用した様々な情報提供サービスが提供されている。
例えば、企業の新製品情報や人材紹介といった情報を簡便に入手することができる。
このような情報提供サービスは、通常不特定多数の利用者がサービスを受けることができるが、例えば、特定の会員のみが希望するソフトウェアをダウンロードできるサービスといった、より高度な情報提供を効率的に行うために利用者を限定した特定会員向けに会員制サービスを行っているサービス提供者もいる。ネットワーク上でオンライン会員登録の可否を判断する場合、サービス提供者にとって有益な利用者のみを抽出して登録を行うことが難しく、例えば、サービス提供者にとって情報提供することが無益な競合他社、その他の会員の登録を避けることができなかった。
【０００３】
【発明が解決しようとする課題】
本発明は、上述のごとき実情に鑑みてなされたものであり、情報提供サービスの会員登録をするにあたり、情報提供サービスにより提供される情報種別毎あるいはサービス利用者（登録会員候補者）の会社情報に関する会員属性毎に会員登録用暗証コードを作成し、サービス提供者の抽出した登録会員候補者に会員登録用暗証コードを配布することで、サービス提供者の提供するサービス内容に合致した候補者を抽出して、会員登録することができる会員登録システムを提供すること、を目的とする。
【０００４】
【課題を解決するための手段】
請求項１の発明は、情報提供サービスを提供するサーバコンピュータと、前記情報提供サービスの登録会員候補者が使用する端末コンピュータとを備え、前記サーバコンピュータと前記端末コンピュータとがネットワークを介して接続された情報提供サービスの会員登録システムであって、前記サーバコンピュータは、前記情報提供サービスの会員登録作業を行うためのプログラムを記憶した記憶装置と、該プログラムを読み出して実行する制御装置と、前記端末コンピュータとネットワークを介して通信するための通信装置とを備え、前記制御装置は、前記プログラムを実行することにより、前記情報提供サービスに会員登録する候補者をリスト化した登録会員候補者リストから、前記情報提供サービスにより提供されるサービス情報種別毎、及び会社規模，会社部署，会社業種，会社所在地の少なくとも１つの登録会員候補者の会社情報に係る会員属性毎に登録会員候補者を抽出し、該抽出した登録会員候補者毎に前記サービス情報種別及び前記会員属性が対応付けられた会員登録用暗証コードを作成し、該作成した会員登録用暗証コードを前記抽出した登録会員候補者の端末コンピュータにネットワークを介して配信し、さらに、前記制御装置は、前記プログラムを実行することにより、前記会員登録用暗証コードを配信した前記端末コンピュータの登録会員候補者からのみネットワークを介して前記情報提供サービスの会員登録の申し込みを受け付け、前記登録会員候補者の端末コンピュータから受信した前記会員登録用暗証コード及び個別会員登録情報に基づいて、前記登録会員候補者に対して前記情報提供サービスの会員登録の可否を判断することを特徴としたものである。
【００１２】
【発明の実施の形態】
図１は、本発明を適用する会員登録システムの構成例を説明する図で、図中、１０は、サービス提供者側サーバ、２０は、サービス利用者側パーソナルコンピュータ（ＰＣ）、３０は、ネットワークで、サービス提供者側サーバ１０は、会員登録用暗証コード（以下、ＰＩＮコードという）管理テーブル１１、ユーザ管理テーブル１２、サービス提供者側パーソナルコンピュータ（ＰＣ）１３を備えている。
【００１３】
図２は、サービス提供者が提供する本情報サービスのホームページの一例を説明する図で、図中、１０１は、本情報サービスのホームページのトップページ、１０２は、登録会員の入力ページ、１０３は、新規会員登録の入力ページの詳細図である。
【００１４】
（実施例１）
図３は、本発明による会員登録システムの新規利用時の実施例を説明するフローチャートである。サービス提供者は、既に作成してある登録会員候補者リストを元に、予め定められた条件に基づいて抽出した登録会員候補者毎にＰＩＮコードを決定する（ステップＳ１）。ここで予め定められた条件とは、提供するサービス情報種別と会社規模、会社部署、会社業種、会社所在地といった１つまたは複数の会社情報に関する属性毎に分類して決められる。例えば、所在地が東京である会社をＡという属性に分類した場合、Ａ＊＊＊＊というキャラクタを有するＰＩＮコードを作成する。
【００１５】
作成したＰＩＮコードをＰＩＮコードリストに登録して、ＰＩＮコード管理テーブル１１に保管する（ステップＳ２）。このように、ＰＩＮコードは、定められた属性毎に分類されたキャラクタを有しているため、ＰＩＮコードを参照すれば、簡単に登録会員候補と登録会員実績とを属性に分けてＰＩＮコード毎に分類して保管でき、例えば、サービス提供者が提供する製品情報や人事情報といった情報の種別による分類、従業員数や売上高といった会社規模による分類、人事部や総務部といった会社部署による分類、商社や製造業といった会社業種による分類、東京地区や大阪地区といった会社所在地による分類ができるため、登録会員候補と登録会員実績のデータベースとして利用することができる。ステップＳ１で抽出した登録会員候補者、または、サービス提供者がステップＳ１で作成した登録会員候補者リストに含まれていない、その他の登録会員候補者に関する情報を有しており、その他の登録会員候補者を抽出できる可能性を有する営業担当者や販売会社を示すサービス取次者に対してＰＩＮコードを配布する（ステップＳ３）。
【００１６】
ＰＩＮコードを配布された登録会員候補者またはサービス取次者は、サービス利用者側ＰＣ２０から、ネットワーク３０を経由して、本情報サービスＵＲＬ（Uniform Resource Locator）を用いてサービス提供者が提供するホームページに接続し、図２に示すホームページのトップページ１０１の入会ボタンをクリックすると、新規会員登録の入力ページ１０３を開くことができる（ステップＳ４）。さらに、登録会員候補者またはサービス取次者は、新規会員登録の入力ページ１０３に示す項目に基づき、ＰＩＮコードと電子メールアドレス及び附加情報として、氏名、会社名、所属、郵便番号、住所、電話番号、ＦＡＸ番号、ＤＭの受け取り可否を個別会員登録情報として入力する（ステップＳ５）。ここで、電子メールアドレスを個別会員登録情報の入力の必須項目にしており、電子メールアドレスにより、登録会員の重複の確認、ネットワークに接続する設備、例えば、パーソナルコンピュータを有していることの確認、情報提供サービスの情報更新が行われた時の通知の実施を行うことができる。また、ＰＩＮコードの配布を受けた前述のサービス取次者は、登録会員候補者に打診して、利用希望があれば、登録会員候補者に代行して、新規会員登録の入力ページ１０３に個別会員登録情報を入力することもできる。
【００１７】
登録会員候補者またはサービス取次者は、入力した新規会員登録の入力ページ１０３をネットワーク３０を経由してサービス提供者に送信し、サービス提供者はこれを受信して、ＰＩＮコード管理テーブル１１に保管したＰＩＮコードリストに候補として登録されているかどうか確認する（ステップＳ６）。ＰＩＮコードリストに登録されていない場合、サービス提供者は、登録会員候補者またはサービス取次者に会員登録できない旨を通知する（ステップＳ７）。ＰＩＮコードリストに登録されている場合、ユーザ管理テーブル１２に保管されているユーザリストに既に登録されているかどうか確認する（ステップＳ８）。ここで、ユーザリストとは、ユーザＩＤ，パスワード，ＰＩＮコードと個別会員登録情報から構成された登録会員のリストである。ユーザリストに登録されている場合、サービス提供者は、登録会員候補者またはサービス取次者に既に登録されている旨を通知する（ステップＳ９）。登録されていない場合、本情報サービスのユーザＩＤ及びパスワードを自動生成し、ユーザリストとしてＰＩＮコードと個別会員登録情報とともに、ユーザ管理テーブル１２に保管する（ステップＳ１０）。
【００１８】
ユーザリストに登録が完了した時点で、提供されているサービス情報を参照しようとする場合、登録会員候補者は、サービス利用者側ＰＣ２０から図２に示すホームページのトップページ１０１に接続し、ログインボタンをクリックして、登録会員の入力ページ１０２を開き、ユーザＩＤとパスワードを入力すると、サービス提供者側サーバ１０からネットワーク３０を経由して、サービス提供者の提供する情報サービスを受けることができる（ステップＳ１１）。
【００１９】
（実施例２）
図４は、本発明による会員登録システムのサービス情報更新時の実施例を説明するフローチャートである。サービス提供者の提供するサービス内容の情報更新があった場合、サービス提供者は、更新情報の通知内容と本情報サービスのユーザＩＤ，パスワードを有したＵＲＬを添付した電子メールを生成する（ステップＳ２１）。サービス提供者は、ユーザ管理テーブル１２内のユーザリストに基づき、サービス提供者側サーバ１０からネットワーク３０を経由して、サービス利用者側ＰＣ２０を利用するユーザにステップＳ２１で生成した電子メールを送信する（ステップＳ２２）。ユーザは、サービス提供者から送信された電子メールをサービス利用者側ＰＣ２０を用いて受信し、この電子メールを開く（ステップＳ２３）。
【００２０】
サービス利用者側ＰＣ２０を用いて受信した電子メールを開いたユーザは、本情報サービスのユーザＩＤ，パスワードを有したＵＲＬを呼び出す（ステップＳ２４）。ユーザが本情報サービスＵＲＬを呼び出すと、ユーザの本情報サービスのユーザＩＤ，パスワードをネットワーク３０を経由して、サービス提供者が自動受信することができる（ステップＳ２５）。ユーザの本情報サービスのユーザＩＤ，パスワードを自動受信したサービス提供者は、ユーザ管理テーブル１２内のユーザリストを用いて、ユーザＩＤ，パスワードが正しいかどうか確認する（ステップＳ２６）。ユーザの本情報サービスのユーザＩＤ，パスワードが誤りの場合、サービス提供者は、ユーザに本情報サービスを利用できない旨を通知する（ステップＳ２７）。ユーザの本情報サービスのユーザＩＤ，パスワードが正しい場合、ユーザは、サービス利用者側ＰＣ２０から図２に示すホームページのトップページ１０１に接続し、ログインボタンをクリックして、登録会員の入力ページ１０２にユーザＩＤ，パスワードを入力して、サービス提供者側サーバ１０からネットワーク３０を経由して、サービス提供者の提供するサービスを受けることができる（ステップＳ２８）。
【００２１】
本発明では、前述の会員登録システムを図１に示すサービス提供者側サーバ１０内のプログラムに従って実施させる。図５は、本発明の会員登録システムにおける会員登録作業を実行するサービス提供者側サーバ１０内のプログラムの処理手順を説明する図で、手順１から手順８に従って実行される。１０１は、本情報サービスのホームページのトップページ、１０２は、登録会員の入力ページ、１０３は、新規会員登録の入力ページ、１０４は、サービス提供者側サーバ１０内のプログラムである入力チェックＣＧＩ、１０５は、ＰＩＮコードチェックジョブ、１０６は、本情報サービスのＰＩＮコードリストと電子メールアドレスの入力チェック、１０７は、ユーザＩＤパスワードの自動生成ジョブ、１０８は、シリアル番号ジョブで、シリアル番号は、サービス提供者側が本情報サービスの登録会員候補者を管理するための管理番号である。１０９は、ファイル作成メール送信ジョブ、１１０は、シリアル番号，ユーザＩＤ，パスワード，ＰＩＮコードと個別会員登録情報を記録するログ、１１１は、登録ジョブ、１１２は、メール送信ジョブ、１１３は、パスワード暗証化ジョブ、１１４は、本情報サービスのユーザＩＤとパスワードリスト、１１５は、本情報サービスのメンバーズページで、メンバーズページは、ユーザＩＤ，パスワードを有する登録会員のみが接続することができる本情報サービスの提供するホームページである。
【００２２】
登録会員候補者が入力した新規会員登録の入力ページ１０３がサービス提供者側に送信されると（手順１）、入力チェックＣＧＩ１０４が起動されて、まず、ＰＩＮコードチェックのコマンドを実行し（手順２）、ＰＩＮコードチェック１０５（図３に示すステップＳ６）でＰＩＮコードを探すコマンドを実行し（手順３）、本情報サービスのＰＩＮコードリストと電子メールアドレスの入力チェック１０６でＰＩＮコード管理テーブル１１内のＰＩＮコードリストに登録されているかどうかの確認と電子メールアドレスの入力チェックを行う（手順４）。その後、入力チェックＣＧＩ１０４は、自動生成の要求のコマンドを実行し（手順６）、ユーザＩＤパスワードの自動生成１０７（図３に示すステップＳ１０）でユーザＩＤ，パスワードの自動生成を行う。（手順７）。
【００２３】
前述のＰＩＮコードチェック１０５とユーザＩＤパスワードの自動生成１０７が完了すると、入力チェックＣＧＩ１０４は、手順７で生成したユーザＩＤ，パスワード，ＰＩＮコードと個別会員登録情報をサービス提供者側ＰＣ１３に送信するため、メール送信のコマンドを実行するが（手順８）、その過程において、登録会員候補者を管理するためのシリアル番号を個別会員登録情報毎に生成する処理をシリアル番号１０８で行う。ファイル作成メール送信１０９で生成したシリアル番号、ユーザＩＤ，パスワード，ＰＩＮコードと個別会員登録情報を記録するファイル、例えばＣＳＶファイル形式で作成して、書込み（追加）のコマンドによって、ログ１１０に書込みを行ってから、入力チェックＣＧＩ１０４は、シリアル付きメールのコマンドにより、サービス提供者側ＰＣ１３に、シリアル番号，ユーザＩＤ，パスワード，ＰＩＮコードと個別会員登録情報をシリアル付きメールとして送信する。
【００２４】
また、入力チェックＣＧＩ１０４は、ＰＩＮコードチェック１０５を行ってから、ユーザＩＤ，パスワード，電子メールアドレスの登録コマンドを実行して、登録１１１で登録され、登録されたユーザＩＤ，パスワードは、メール送信１１２で、メールで送信のコマンドによりサービス利用者に送信される。一方、ユーザＩＤ，パスワード，電子メールアドレスの登録１１１を行ってから、パスワード暗号化１１３で、パスワードを暗号化する。さらに、書込み（追加／削除）のコマンドによって、ユーザＩＤ，暗号化されたパスワードは、本情報サービスのユーザＩＤとパスワードリスト１１４に書き込まれる。登録会員の入力ページ１０２にユーザが入力したユーザＩＤ，パスワードは、本情報サービスのユーザＩＤとパスワードリスト１１４で正しいかどうか確認される。ユーザが入力したユーザＩＤ，パスワードが正しい場合、本情報サービスのメンバーズページ１１５を開くことができる。
【００２５】
【発明の効果】
以上の説明から明らかなように、本発明によれば、オンラインで会員登録をするにあたり、情報提供サービスの情報種別と登録会員候補者の会員属性毎に会員登録用暗証コードを作成し、サービス提供者の抽出した登録会員候補者に会員登録用暗証コードを配布し、会員登録用暗証コードの配布を受けた登録会員候補者のみが会員として登録できるため、サービス提供者は提供するサービス情報に合致した候補者を抽出して、会員登録することができる。これによって、サービス提供者は、競合他社の登録を防止することができると共に、利用者により高度で、効率的な情報提供サービスを行うことができ、利用者とのより強い信頼関係を構築することができる。さらに、会員登録方法にネットワークを利用しているため、例えばパーソナルコンピュータといった既存の設備を流用することが可能であり、電子メールアドレスの登録を必須としているため、会員の重複登録を防止することができる。また、会員登録用暗証コードを配布されたサービス取次者が、登録会員候補者に打診して、登録希望があれば、登録会員候補者に代行して、登録作業を行うことができるので、サービス提供者の会員登録作業の負荷を軽減することができる。また、登録会員の追加収集を行う際には、サービス情報種別と会員属性に基づき分類された会員登録用暗証コードを用いて、登録会員実績を判断してより効果的な会員収集手段を決定することができる。
【図面の簡単な説明】
【図１】  本発明を適用する会員登録システムの構成例を説明するための図である。
【図２】  本発明におけるサービス提供者が提供する本情報サービスのホームページの一例を説明するための図である。
【図３】  本発明による会員登録システムの新規利用時の実施例を説明するフローチャートである。
【図４】  本発明による会員登録システムのサービス情報更新時の実施例を説明するフローチャートである。
【図５】  本発明の会員登録システムにおける会員登録作業を実行するプログラムの処理手順を説明するための図である。
【符号の説明】
１０…サービス提供者側サーバ、１１…会員登録用暗証コード管理テーブル、１２…ユーザ管理テーブル、１３…サービス提供者側パーソナルコンピュータ（ＰＣ）、２０…サービス利用者側パーソナルコンピュータ（ＰＣ）、３０…ネットワーク、１０１…本情報サービスのホームページのトップページ、１０２…登録会員の入力ページ、１０３…新規会員登録の入力ページの詳細図、１０４…入力チェックＣＧＩ、１０５…ＰＩＮコードチェックジョブ、１０６…ＰＩＮコードリストと電子メールアドレス入力チェック、１０７…ユーザＩＤパスワードの自動生成ジョブ、１０８…シリアル番号ジョブ、１０９…ファイル作成メール送信ジョブ、１１０…ログ、１１１…登録ジョブ、１１２…メール送信ジョブ、１１３…パスワード暗証化ジョブ、１１４…ユーザＩＤとパスワードリスト、１１５…メンバーズページ。
【図１】
0004049529.tif 000002
【図２】
0004049529.tif 000003
【図３】
0004049529.tif 000004
【図４】
0004049529.tif 000005
【図５】
0004049529.tif 000006